(57)【要約】【課題】  相隣る建物ユニットの配管施工が完了している状況でも、それらの配管を簡易な構成により接続すること。【解決手段】  下階建物ユニット１１に設置した下階設備配管２１の上端部と、上階建物ユニット１２に設置した上階設備配管２２の下端部を接続配管３０により接続する配管接続方法において、接続配管３０が、接続管３１と、該接続管３１に対し差し込み長さを変化可能に差し込まれる接続具３２の差し込み体からなるもの。【選択図】  図２
2008286235.tif 000002
【特許請求の範囲】
【請求項１】
第１建物ユニットに設置した第１配管の端部と、第１建物ユニットに隣接する第２建物ユニットに設置した第２配管の端部を接続配管により接続する配管接続方法において、
接続配管が、接続管と、該接続管に対し差し込み長さを変化可能に差し込まれる接続具の差し込み体からなり、
接続配管の全長が、接続具の差し込み長さを長くし、第１配管の端部と第２配管の端部との間隔より短くされた状態で、接続配管の一端部を第１配管の端部と第２配管の端部の一方に差し込み接着し、
続いて、接続具の差し込み長さを短くし、接続配管の全長を第１配管の端部と第２配管の端部との間隔より長くし、接続配管の他端部を第１配管の端部と第２配管の端部の他方に差し込み接着することを特徴とする配管接続方法。
【請求項２】
前記第１建物ユニットが下階建物ユニットであり、第２建物ユニットが上階建物ユニットである請求項１に記載の配管接続方法。
【請求項３】
請求項１又は２に記載の配管接続方法に用いられる接続配管であって、接続管と、該接続管に対し差し込み長さを変化可能に差し込まれる接続具の差し込み体からなる接続配管。
【請求項４】
前記接続管と接続具の差し込み部に防水パッキンを介装してなる請求項３に記載の接続配管。
【発明の詳細な説明】
【技術分野】
【０００１】
本発明は、第１建物ユニットに設置した第１配管の端部と、第２建物ユニットに設置した第２配管の端部を接続配管により接続する配管接続方法及び接続配管に関する。
【背景技術】
【０００２】
従来の例えば排水管施工において、図４に示す如く、下階建物ユニットに設置した下階設備配管１の上端部と、上階建物ユニットに設置した上階設備配管２の下端部を接続するに際しては、下階設備配管１の上端部と上階設備配管２の下端部を構成する管継手１Ａ、２Ａと、それら管継手１Ａ、２Ａに差し込み接着される接続管３を用いている。このとき、接続管３は、管継手１Ａ、２Ａに対する差し込み代を確保する必要から、接続管３の全長を下階設備配管１の上端部と上階設備配管２の下端部との間隔より長くしている。
【０００３】
特に、上下階に専用住戸が重なる共同住宅で、上下階の各住戸の排水管施工が完了しているような状況では、上下階の管継手１Ａ、２Ａに対する接続管３の差し込みができない。そこで、上下階の各住戸の排水管施工は、下階設備配管１及び管継手１Ａの設置、管継手１Ａに対する接続管３の下端部の差し込み接着、接続管３の上端部に対する管継手２Ａの差し込み接着、上階設備配管２の設置の如くの下階から上階への施工順、又はその逆の上階から下階への施工順とする必要があった。
【０００４】
尚、下階設備配管１の上端部と上階設備配管２の下端部を接続する配管接続方法として、特許文献１に記載の如く、下階設備配管１の上端部と上階設備配管２の下端部の間に蛇腹状の接続管を介装するものがある。
【特許文献１】実登録2557841
【発明の開示】
【発明が解決しようとする課題】
【０００５】
特許文献１に記載の配管接続方法では、蛇腹状の接続管が可塑剤入り樹脂からなるために耐久性が低いし、例えば汚水排水管等を構成するときに蛇腹部が排水に対する抵抗になる等のおそれがある。
【０００６】
本発明の課題は、相隣る建物ユニットの配管施工が完了している状況でも、それらの配管を簡易な構成により接続することにある。
【課題を解決するための手段】
【０００７】
請求項１の発明は、第１建物ユニットに設置した第１配管の端部と、第１建物ユニットに隣接する第２建物ユニットに設置した第２配管の端部を接続配管により接続する配管接続方法において、接続配管が、接続管と、該接続管に対し差し込み長さを変化可能に差し込まれる接続具の差し込み体からなり、接続配管の全長が、接続具の差し込み長さを長くし、第１配管の端部と第２配管の端部との間隔より短くされた状態で、接続配管の一端部を第１配管の端部と第２配管の端部の一方に差し込み接着し、続いて、接続具の差し込み長さを短くし、接続配管の全長を第１配管の端部と第２配管の端部との間隔より長くし、接続配管の他端部を第１配管の端部と第２配管の端部の他方に差し込み接着するようにしたものである。
【０００８】
請求項２の発明は、請求項１の発明において更に、前記第１建物ユニットが下階建物ユニットであり、第２建物ユニットが上階建物ユニットであるようにしたものである。
【０００９】
請求項３の発明は、請求項１又は２に記載の配管接続方法に用いられる接続配管であって、接続管と、該接続管に対し差し込み長さを変化可能に差し込まれる接続具の差し込み体からなるようにしたものである。
【００１０】
請求項４の発明は、請求項３の発明において更に、前記接続管と接続具の差し込み部に防水パッキンを介装してなるようにしたものである。
【発明の効果】
【００１１】
（請求項１、２）
(a)接続配管の全長が、接続具の差し込み長さを長くし、下階設備配管等の第１配管の端部と上階設備配管等の第２配管の端部との間隔より短くされた状態で、接続配管の一端部を第１配管の端部と第２配管の端部の一方に差し込み接着し、続いて、接続具の差し込み長さを短くし、接続配管の全長を第１配管の端部と第２配管の端部との間隔より長くし、接続配管の他端部を第１配管の端部と第２配管の端部の他方に差し込み接着する。従って、例えば上下階に専用住戸が重なる共同住宅で、上下階の各住戸の配管施工が完了しているような状況でも、下階設備配管の上端部と上階設備配管の下端部を上述の接続配管により簡易に接続できる。
【００１２】
(b)接続配管を構成する接続管は、蛇腹部を伴う等がないから、硬質塩ビ管等を採用して耐久性を確保し、或いは汚水排水管等を構成するときに排水に対する抵抗も小さくできる。
【００１３】
（請求項３）
(c)接続配管が、接続管と、該接続管に対し差し込み長さを変化可能に差し込まれる接続具の差し込み体からなるものとした。従って、単純な接続配管により上述(a)、(b)を実現できる。
【００１４】
（請求項４）
(d)接続配管が、接続管と接続具の差し込み部に防水パッキンを介装することにより、接続管と接続具を密に差し込みながら、それらの差し込み長さを容易に伸縮調整できる。
【発明を実施するための最良の形態】
【００１５】
図１は上下階の各住戸の排水管の施工を完了した状況を示す模式図、図２は本発明による配管接続方法を示す模式図、図３は接続配管の要部を示す断面図、図４は従来の配管接続方法を示す模式図である。
【実施例】
【００１６】
図１は、上下階に専用住戸が重なる共同住宅１０で、上下階の各住戸の排水管施工が完了した状況を示す。共同住宅１０は、工場生産された建物ユニット１１、１２等を建築現場に輸送し、基礎１の上に下階建物ユニット１１（第１建物ユニット）を据付け、下階建物ユニット１１の上に上階建物ユニット１２（第２建物ユニット）を据付けて構築される。
【００１７】
下階建物ユニット１１には、工場生産段階で、下階設備配管２１（第１配管）とその管継手２１Ａ、縦管２１Ｂが設置されている。上階建物ユニット１２には、工場生産段階で、上階設備配管２２（第２配管）とその管継手２２Ａが設置されている。下階建物ユニット１１と上階建物ユニット１２の床部には、下階設備配管２１の管継手２１Ａ、上階設備配管２２の管継手２２Ａ等のための配管孔１１Ａ、１２Ａが設けられ、下階建物ユニット１１の天井部には、下階設備配管２１の上端部たる縦管２１Ｂと、上階設備配管２２の下端部たる管継手２２Ａを接続する接続配管３０のための配管孔１１Ｂが設けられている。
【００１８】
以下、共同住宅１０の建築現場で、下階設備配管２１の上端部たる縦管２１Ｂと、上階設備配管２２の下端部たる管継手２２Ａを接続配管３０を用いて接続する手順について説明する（図２）。
【００１９】
尚、接続配管３０は、図３に示す如く、ストレート状の接続管３１と、接続管３１の外周に対し差し込み長さを変化可能に差し込まれる接続具３２の差し込み体からなる。本実施例では、接続具３２が、接続管３１の外周に差し込まれるやりとりソケット３３と、やりとりソケット３３の下端小径部の外周に予め差し込み接着されるソケット３４とからなる。やりとりソケット３３の上差し込み口３３Ａの内周に設けた環状溝にはＯリング等の防水パッキン３５が装填され、この防水パッキン３５に接続管３１の外周が密に差し込まれる。ソケット３４の内周の軸方向中間部には環状フランジ３４Ａが突設され、ソケット３４の上差し込み口３４Ｂにはやりとりソケット３３の下端小径部の外周がフランジ３４Ａに衝合する位置まで差し込まれ、下差し込み口３４Ｃには下階設備配管２１の縦管２１Ｂの外周がフランジ３４Ａに衝合する位置まで差し込まれ、やりとりソケット３３の下端小径部の内周とフランジ３４Ａの内周と縦管２１Ｂの内周は同一径（接続管３１の内周もこれらと同一径）に設定されている。
【００２０】
(1)接続配管３０の全長が、接続管３１に対する接続具３２の差し込み長さを長くし、下階設備配管２１の縦管２１Ｂと上階設備配管２２の管継手２２Ａとの間隔より短くされた状態（図２（Ａ））で、接続配管３０の一端部、本実施例では接続管３１の上端部の外周を下階建物ユニット１１の配管孔１１Ｂに通して上階設備配管２２の管継手２２Ａに差し込み接着する（図２（Ｂ））。接続管３１の上端部の外面と、管継手２２Ａの内面に接着剤を均一に塗布する。
【００２１】
(2)接続管３１に対する接続具３２の差し込み長さを短くし、接続配管３０の全長を下階設備配管２１の縦管２１Ｂと上階設備配管２２の管継手２２Ａとの間隔より長くし、接続配管３０の他端部、本実施例では接続具３２を構成するソケット３４の下端部の内周を、下階設備配管２１の縦管２１Ｂの上端部に差し込み接着する（図２（Ｃ））。ソケット３４の内面と、縦管２１Ｂの上端部の外面に接着剤を均一に塗布する。
【００２２】
尚、設備配管２１、２２、管継手２１Ａ、２２Ａ、縦管２１Ｂ、接続管３１、接続具３２（やりとりソケット３３、ソケット３４）は例えば塩ビ管にて構成できる。
【００２３】
また、接続配管３０の一端部としての接続具３２を上階設備配管２２の管継手２２Ａに差し込み接着し、接続配管３０の他端部としての接続管３１を下階設備配管２１の縦管２１Ｂに差し込み接着しても良い。
【００２４】
従って、本実施例によれば以下の作用効果を奏する。
(a)接続配管３０の全長が、接続具３２の差し込み長さを長くし、下階設備配管２１の上端部と上階設備配管２２の下端部との間隔より短くされた状態で、接続配管３０の一端部を下階設備配管２１の上端部と上階設備配管２２の下端部の一方に差し込み接着し、続いて、接続具３２の差し込み長さを短くし、接続配管３０の全長を下階設備配管２１の上端部と上階設備配管２２の下端部との間隔より長くし、接続配管３０の他端部を下階設備配管２１の上端部と上階設備配管２２の下端部の他方に差し込み接着する。従って、例えば上下階に専用住戸が重なる共同住宅１０で、上下階の各住戸の排水管施工が完了しているような状況でも、下階設備配管２１の上端部と上階設備配管２２の他端部を上述の接続配管３０により簡易に接続できる。
【００２５】
(b)接続配管３０を構成する接続管３１は、蛇腹部を伴う等がないから、硬質塩ビ管等を採用して耐久性を確保し、或いは汚水排水管等を構成するときに排水に対する抵抗も小さくできる。
【００２６】
(c)接続配管３０が、接続管３１と、該接続管３１に対し差し込み長さを変化可能に差し込まれる接続具３２の差し込み体からなるものとした。従って、単純な接続配管３０により上述(a)、(b)を実現できる。
【００２７】
(d)接続配管３０が、接続管３１と接続具３２の差し込み部に防水パッキン３５を介装することにより、接続管３１と接続具３２を密に差し込みながら、それらの差し込み長さを容易に伸縮調整できる。
【００２８】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の配管接続方法は、上下階の建物ユニットの配管の接続に限らず、左右の水平方向で相隣る建物ユニットの配管の接続にも適用できる。
【００２９】
また、本発明の配管接続方法は、排水管に限らず、浄水管等の他の配管にも適用できる。また、設備用配管に限らず、雨水排水管等にも適用できる。
【００３０】
また、本発明の配管接続方法は、共同住宅に限らず、一般の戸建て住宅にも適用できる。
【図面の簡単な説明】
【００３１】
【図１】図１は上下階の各住戸の排水管の施工を完了した状況を示す模式図である。
【図２】図２は本発明による配管接続方法を示す模式図である。
【図３】図３は接続配管の要部を示す断面図である。
【図４】図４は従来の配管接続方法を示す模式図である。
【符号の説明】
【００３２】
１１  下階建物ユニット（第１建物ユニット）
１２  上階建物ユニット（第２建物ユニット）
２１  下階設備配管（第１配管）
２２  上階設備配管（第２配管）
３０  接続配管
３１  接続管
３２  接続具
３５  防水パッキン
【図１】
2008286235.tif 000003
【図２】
2008286235.tif 000004
【図３】
2008286235.tif 000005
【図４】
2008286235.tif 000006